(57)【特許請求の範囲】
【請求項１】
照明装置と、
前記照明装置から上方に向かって延在し、前記照明装置を天井から離間した状態で前記天井の所定部位から吊り下げる吊り下げ部と、
前記照明装置を前記所定部位から吊り下げた場合に前記照明装置と前記天井との間に配置され、音声出力するスピーカー装置と、
前記照明装置を前記所定部位から吊り下げた場合に前記スピーカー装置の上面と前記天井との間に挟み込まれ、前記スピーカー装置が前記天井に対して回転を抑制する回転抑制部と、
を備えることを特徴とする照明ユニット。
【請求項２】
前記吊り下げ部は、前記スピーカー装置と接触する接触部を有し、
前記接触部は、前記音声出力による前記スピーカー装置の振動を吸収する部材で構成されている、
ことを特徴とする請求項１に記載の照明ユニット。
【請求項３】
前記吊り下げ部と前記スピーカー装置との間に、前記音声出力による前記スピーカー装置の振動を吸収する第１の振動吸収部を介在させた、
ことを特徴とする請求項１に記載の照明ユニット。
【請求項４】
前記照明装置の上面と前記スピーカー装置の下面との間に、前記音声出力による前記スピーカー装置の振動を吸収する第２の振動吸収部をさらに備える、
ことを特徴とする請求項１乃至３のいずれか１項に記載の照明ユニット。
【請求項５】
前記所定部位は、電力を供給する電源部であり、
前記吊り下げ部は、前記照明装置の吊り下げに用いられる筒状部材を有し、
前記電源部からの電力供給に用いられる配線が設けられ、
前記配線は、前記筒状部材とは別部材であり、前記照明装置の吊り下げに用いられない、
ことを特徴とする請求項１乃至４のいずれか１項に記載の照明ユニット。
【請求項６】
前記所定部位は、電力を供給する電源部であり、
前記吊り下げ部は、前記電源部に取り付けられて前記電源部と接続される電源接続部を有し、
前記電源接続部と前記照明装置とに接続され、前記電源部からの電力を前記照明装置に供給する第１の配線と、前記電源接続部と前記スピーカー装置とに接続され、前記電源部からの電力を前記スピーカー装置に供給する第２の配線と、前記照明装置と前記スピーカー装置とに接続され制御信号を伝送する信号線と、をさらに設け、
前記第１の配線及び前記第２の配線は前記吊り下げ部内を通っており、前記信号線は前記吊り下げ部内を通っていない、
ことを特徴とする請求項１乃至５のいずれか１項に記載の照明ユニット。
【請求項７】
前記スピーカー装置は、前記吊り下げ部を囲んで配置されている、
ことを特徴とする請求項１乃至６のいずれか１項に記載の照明ユニット。
【発明の詳細な説明】
【技術分野】
【０００１】
本発明は、照明ユニットに関する。
【背景技術】
【０００２】
例えば、特許文献１の図４には、照明装置とスピーカー装置とが別体となっており、かつ、照明装置にスピーカー装置が取り付けられ、スピーカー装置が天井の所定部位に取り付けられる照明ユニットが開示されている。
【先行技術文献】
【特許文献】
【０００３】
【特許文献１】特開２００８−３５１３３号公報
【発明の概要】
【発明が解決しようとする課題】
【０００４】
照明装置とスピーカー装置とは、様々な事情（例えば、両者の製造場所又は製造会社が異なる、スピーカー装置と照明装置との組合せのバリエーションを増やしたいなど）によって、特許文献１の図４の構造のように別体に製造されることがある。
【０００５】
しかし、このような構造では、照明装置がスピーカー装置を介して天井の所定部位に取り付けられ、吊り下げられている構造のため、スピーカー装置の音声出力による振動などによって、スピーカー装置と天井の所定部位との接続部分及びスピーカー装置と照明装置との接続部分に余計な負荷が掛かることがあった。そして、これによって、照明装置の吊り下げが不安定になってしまうことがあった。
【０００６】
本発明は、上記実情に鑑みてなされたものであり、スピーカー装置と照明装置とが別体であるにも関わらず、照明装置を安定的に天井の所定部位から吊り下げることができる照明ユニットを提供することを目的とする。
【課題を解決するための手段】
【０００７】
上記目的を達成するために、本発明に係る照明ユニットは、
照明装置と、
前記照明装置から上方に向かって延在し、前記照明装置を天井から離間した状態で前記天井の所定部位から吊り下げる吊り下げ部と、
前記照明装置を前記所定部位から吊り下げた場合に前記照明装置と前記天井との間に配置され、音声出力するスピーカー装置と、
前記照明装置を前記所定部位から吊り下げた場合に前記スピーカー装置の上面と前記天井との間に挟み込まれ、前記スピーカー装置が前記天井に対して回転を抑制する回転抑制部と、
を備えることを特徴とする。
【発明の効果】
【０００８】
本発明によれば、スピーカー装置と照明装置とが別体であるにも関わらず、照明装置を安定的に天井の所定部位から吊り下げることができる。
【図面の簡単な説明】
【０００９】
【図１】本発明の一実施の形態に係る照明ユニットの断面などを示す図である。
【図２】図１の照明ユニットの分解斜視図である。
【図３】図１の筒状部材の詳細な断面図である。
【図４】図１のスピーカー装置、振動吸収部材などを上方から見た場合の図である。
【図５】図４のスピーカー装置を図４の紙面右側から見た図である。
【図６】図１のスピーカー装置の内部構成図である。
【図７】本発明における変形例に係る照明ユニットの要部断面図である。
【図８】本発明における変形例に係る照明ユニットの要部断面図である。
【図９】本発明における変形例に係る照明ユニットの断面図である。
【図１０】本発明における変形例に係る照明ユニットの要部断面図である。
【図１１】図１０における樹脂部を図１０の紙面左方向から見た図である。
【図１２】図１０の筒所部材、スピーカー装置についての分解斜視図である。
【発明を実施するための形態】
【００１０】
図１及び２のように、照明ユニット１は、照明装置１００と、吊り下げ部２００と、スピーカー装置３００と、を備える。照明ユニット１は、天井３の電源部３ａに取り付けられるものである。電源部３ａは、天井３に設けられた、引掛シーリング、引掛ローゼットなどから構成される、照明ユニット１の取り付け対象である。電源部３ａは、照明ユニット１に電力を供給する商用電源でもある。なお、図１において、電源部３ａ及び天井３は、概略断面図として描き、断面を表すハッチング及び内部構造は省略した。
【００１１】
照明装置１００は、照明天板１１０と、カバー１２０と、発光部１３２と、制御部１３３と、を備える。なお、図１において、発光部１３２及び制御部１３３は、概略断面図として描き、断面を表すハッチング及び内部構造は省略した。
【００１２】
照明天板１１０は、金属などから構成され、中央に貫通孔１１０ａを有する円板形状（ドーナツ板形状）である。照明天板１１０には、発光部１３２と制御部１３３とが取り付けられている。制御部１３３と発光部１３２とは図示しない配線によって接続されている。また、照明天板１１０には、後述の信号線２３５が通る貫通孔１１０ｂが設けられる。
【００１３】
発光部１３２は、ＬＥＤ（Light Emitting Diode）を用いた発光装置などによって構成され、電力が供給されることによって発光する。
【００１４】
制御部１３３は、例えば、受信部、駆動回路などを備え、受信部が受信した信号（例えば、照明装置１００のリモコンからの信号）に応じて駆動回路が発光部１３２を点灯／消灯、調光させるなどする。制御部１３３には、電源部３ａから後述の電源接続部２１０を介して電力が供給され（詳しくは後述する）、駆動回路は、この電力を発光部１３２へ供給することによって発光部１３２を点灯させ、この電力を発光部１３２へ供給しないことによって発光部１３２を消灯させる。このようにして、制御部１３３は、ユーザの操作（例えば、リモコンへの操作）に基づいて、発光部１３２の点灯、消灯などを制御する。さらに、制御部１３３は、ユーザの操作に基づいて、駆動回路などによって発光部１３２に供給される電力量を調整することによって、発光部１３２の明るさ（発光量）を調整する調光を行う。
【００１５】
カバー１２０は、発光部１３２からの光を散乱させて出射する部材であり、発光部１３２及び制御部１３３などを下側から覆う。カバー１２０は、照明天板１１０に適宜の方法（例えば、引っ掛け、ネジ止めなど）で固定される。カバー１２０は、例えば、合成樹脂などによって構成される。
【００１６】
上記構成によって、照明装置１００には、電源部３ａから後述の電源接続部２１０を介して電力が供給され、この電力によって、制御部１３３の制御のもとで発光部１３２が発光し、発光した光は、カバー１２０で散乱して照明装置１００の外部へと出射する。これによって、天井３が設けられている部屋が照明されることになる。
【００１７】
吊り下げ部２００は、電源接続部２１０と、筒状部材２２０と、を備え、照明装置１００から上方（天井３に向かう方向）に延在する部材であり、照明装置１００を電源部３ａから吊り下げる。なお、図１において、電源接続部２１０は、概略断面図として描き、断面を表すハッチング及び内部構造は省略した。
【００１８】
電源接続部２１０は、例えば、引っ掛け金具を電源部３ａの挿通孔に挿通し、電源接続部２１０を回転させることによって、電源部３ａに、電源部３ａから脱落しないように、取り付けられるアダプターなどであり、電源部３ａからの交流電力を直流電力に変換する。
【００１９】
電源接続部２１０は、略円柱状の電源接続部本体２１１と、２つのツメ２１２と、を備える。電源接続部本体２１１の外周面には、２つの貫通孔が形成され、この２つの貫通孔それぞれからツメ２１２が突出している。なお、ツメ２１２の数は、複数であれば、３つ以上であってもよい。ツメ２１２は、例えば、電源接続部本体２１１内部のバネなどの弾性部材によって、電源接続部本体２１１の外側に向かって付勢されている。このため、ツメ２１２に所定方向の力が加わることによって、ツメ２１２は電源接続部本体２１１の内部に引っ込むようになっている。
【００２０】
電源接続部本体２１１には、配線２３１及び２３２がコネクタなどによって接続されている。配線２３１は、スピーカー装置３００にコネクタなどによって接続される。電源接続部本体２１１は、電源部３ａからの交流電力をスピーカー装置３００用の直流電力に変換し、配線２３１を介してスピーカー装置３００に供給する。配線２３２は、照明装置１００（制御部１３３）にコネクタなどによって接続される。電源接続部本体２１１は、電源部３ａからの交流電力を照明装置１００用の直流電力に変換し、配線２３２を介して照明装置１００（制御部１３３）に供給する。このようにして、電源接続部２１０は電源３ａから供給される電力をスピーカー装置３００および照明装置１００に供給する役割を持っている。配線２３１と配線２３２とは、並列に電源接続部本体２１１に接続されており、これによって、電源部３ａからの電力は、電源接続部本体２１１から個別にスピーカー装置３００と照明装置１００とに供給される。
【００２１】
筒状部材２２０は、略円筒状の部材であり、下部からはフランジ２２１が水平方向（天井３の面内方向であり、図１では紙面縦方向）に張り出している。筒状部材２２０は、ポリブチレンテレフタレート（ＰＢＴ）などの合成樹脂製の樹脂部２５２と、金属製の金属部２５１と、によって構成される（図３参照）。樹脂部２５２と、金属部２５１とは、それぞれが、下部からフランジが張り出した略円筒形状である。樹脂部２５２の内周面と金属部２５１の外周面とは、略同様の直径となっている。そして、樹脂部２５２が金属部２５１に上方から被さるようにして、両者は組み合わさって筒状部材２２０が構成されている。金属部２５１によって、筒状部材２２０が補強されている。
【００２２】
フランジ２２１（樹脂部２５２及び金属部２５１によって構成されている。）は、貫通孔２２５を備える。貫通孔２２５の内部には、ネジ２２９（図１において断面を表すハッチングは省略）が通る。照明天板１１０には、貫通孔２２５と対応して、ネジと螺合するネジ穴が形成されている。ネジ２２９が貫通孔２２５を通って照明天板１１０のネジ穴と螺合することによって、筒状部材２２０は、照明天板１１０（照明装置１００）の上面中央に回転不能に取り付けられている。
【００２３】
この実施の形態では、ネジ２２９によって、樹脂部２５２と金属部２５１との両者が重ねて、照明天板１１０に固定されているので、両者は互いに固定されなくてもよいが、両者を、接着することなどによって、互いに固定してもよい。また、金属部２５１をインサートするインサート成型などによって、樹脂部２５２と金属部２５１とを一体成型することによって、筒状部材２２０を一体的に形成してもよい。
【００２４】
また、筒状部材２２０の内面２２０ａには、ツメ２１２と係合する凹部２２４が形成されている。この凹部２２４内部に電源接続部２１０のツメ２１２が入り込むことによって、ツメ２１２が凹部２２４に引っ掛かる。これによって、筒状部材２２０は、電源接続部２１０から脱落しないように、電源接続部２１０に取り付けられる。なお、この実施の形態では、凹部２２４は、略直方体の内部空間を形成するように構成されており、ツメ２１２が内面２２０ａの軸回りで回転しないようになっている。このように、回転しないようにすることで、筒状部材２２０が回転して配線２３１及び２３２が絡まることを軽減できる。なお、筒状部材２２０の電源接続部２１０への取り付け方法は、上記に限られず適宜の方法で行われる。また、筒状部材２２０と電源接続部２１０とは、一体となったものであってもよい。
【００２５】
電源接続部２１０に電源部３ａが取り付けられ、電源接続部２１０に筒状部材２２０が取り付けられることによって、電源部３ａに吊り下げ部２００の上端が取り付けられる。一方、吊り下げ部２００の下端には、照明装置１００が固定される。このような構成によって、吊り下げ部２００は、照明装置１００を電源部３ａから脱落しないように吊り下げる。
【００２６】
また、筒状部材２２０の外周面２２０ｂには、凹部２２２が形成されている。凹部２２２は、スピーカー装置３００の凸部３０１と係合する（詳しくは、後述する）。
【００２７】
さらに、筒状部材２２０には、内側と外側とを連通する貫通孔２２５が形成されており、この貫通孔２２５内には、スピーカー装置３００に接続された配線２３１が通っている。
【００２８】
スピーカー装置３００は、スピーカー３５０を少なくとも内部に備える装置であり、音声（音によって構成されるもの全般のことをいい、歌を含まない音楽、効果音なども含む。）をスピーカー３５０から出力する。この実施の形態では、スピーカー装置３００は、スピーカー３５０の他、制御部３５１と受信部３５２とアンプ３５３とを備える。制御部３５１、受信部３５２、アンプ３５３などは、電源部３ａから電源接続部２１０を介して供給される電力により動作する。なお、図１において、スピーカー装置３００は、概略断面図として描き、断面を表すハッチング及び内部構造は省略した。
【００２９】
受信部３５２は、音源装置であるデジタルメディアサーバ（ＤＭＳ）からＤＬＮＡの規格に則って伝送されてくる音声信号や、他の音源装置（各種オーディオ機器など）から所定の規格に則って伝送されてくる音声信号、前記の各種音源装置や所定のリモコン装置などから電送されてくるコマンド信号（ボリュームの大小を指示する信号など）を受信可能に構成されている。なお、ＤＭＳとしては、例えばパーソナルコンピュータやセットトップボックス、デジタルカメラやビデオカメラ、多機能な携帯端末などが挙げられる。
【００３０】
制御部３５１は、アンプ３５３に制御信号を送るなどして、アンプ３５３を制御する。アンプ３５３は、制御部３５１の制御のもとで、受信部３５２から入力される音声信号の信号レベルを増幅してスピーカー３５０に出力する。スピーカー３５０は、アンプから出力された音声信号に従って音声を出力する。これによって、スピーカー３５０からは、音声が出力され、音声が流れる。また、制御部３５１は、受信部３５２が受信したコマンド信号に応じて、信号レベルの増幅率などを変更し、スピーカー３５０から流れる音の大小（音量）を変更させることもできる。
【００３１】
この実施の形態におけるスピーカー装置３００の外観形状は、所定の厚さを持つ略円筒形状（略ドーナツ形状）であり、吊り下げ部２００を囲む形状である（図４及び５も参照）。つまり、スピーカー装置３００は、貫通孔３００ａをその中央に備える。また、スピーカー装置３００の外周面上端部には、外側に張り出したフランジ３０２を備える。
【００３２】
スピーカー装置３００の上面の一部は、水平方向に対して傾斜している。つまり、スピーカー装置３００の上面は、傾斜面３１０及び３２０を備える。傾斜面３１０及び３２０は、この実施の形態では、曲面によって構成されるが、平面によって構成されてもよい。
【００３３】
上記傾斜面３１０及び３２０には、露出孔３１０ａ及び３１０ｂが設けられ、これらによってスピーカー３５０の放音面（音声が出力される面）が露出している。これによって、スピーカー装置３５０は音声を外部に出力できるが、音声を外部に出力できるのであれば、スピーカー３５０の方音面は所定部材によって覆われていてもよい。スピーカー３５０は、天井に対して斜めに固定される。これによって、スピーカー３５０から出力された音声は天井で反射して下方に向かい、部屋内のユーザ（音声聴取者）に効率良く到達する。
【００３４】
また、貫通孔３００ａの内壁面からは、凸部３０１が突出して形成されている。スピーカー装置３００の筐体は、例えば、合成樹脂、木材、金属などから構成されており、凸部３０１は筐体の一部を構成する。つまり、凸部３０１は、貫通孔３００ａの内壁面と一体的に形成されている。凸部３０１は、筒状部材２２０の外周面２２０ｂの凹部２２２に嵌るような形状で、ここでは、直方体形状に形成されている。凸部３０１と凹部２２２とが嵌まり合うことで、スピーカー装置３００は、吊り下げ部２００に回転不能になっている。さらに、上記嵌り合いによって、スピーカー装置３００は、吊り下げ部２００から下方に脱落しないようになっており、これによって、スピーカー装置３００は、吊り下げ部２００を取り囲むとともに、吊り下げ部に取り付けられている。
【００３５】
なお、貫通孔３００ａの内壁面は筒状部材２２０の外周面２２０ｂに接触している。ここで、筒状部材２２０におけるスピーカー装置３００と接触する部分は樹脂部２５２になっている。つまり、吊り下げ部２００の前記スピーカー装置３００と接触する部分が合成樹脂によって形成されていることになる。
【００３６】
照明ユニット１は、更に、スポンジ、ゴムなどから構成される回転抑制部材４０１を備える。回転抑制部材４０１は、スピーカー装置３００の上面（この実施の形態では、フランジ３０２の上面）に接着剤、両面テープなどによって固定されており、スピーカー装置３００の上面と天井３とに挟み込まれている。回転抑制部材４０１は、摩擦係数の大きなものであればよく、天井３との間の摩擦によってスピーカー装置３００が天井３に対して回転することを抑制する（回転し難くすることと、回転を完全に防止することとのいずれかであればよい）。回転抑制部材４０１の形状は、直方体形状など、適宜の形状であればよい。
【００３７】
また、照明ユニット１は、さらに、振動吸収部材４０２を備える。この振動吸収部材４０２は、振動を吸収するものであり、ＰＢＴなどの合成樹脂などの適宜の材料によって形成される。振動吸収部材４０２は、照明天板１１０の上面とスピーカー装置３００の下面との間に介在している。このような構成によって、この実施の形態では、スピーカー装置３００は、照明装置１００（照明天板１１０）の上面に、直接接触しないようになっている。振動吸収部材４０２の形状は、直方体形状など、適宜の形状であればよい。振動吸収部材４０２は、例えば、照明天板１１０の上面に接着剤、両面テープなどによって固定されている。
【００３８】
例えば、電源部３ａに電源接続部２１０を取り付ける一方、発光部１３２、制御部１３３、振動吸収部材４０２が取り付けられた照明天板１１０に筒状部材２２０を取り付け、さらに、筒状部材２２０に、回転抑制部材４０１を設けたスピーカー装置３００を取り付けたものを用意する（これによって、振動吸収部材４０２が照明装置１００とスピーカー装置３００とに挟まれる。）。そして、部材Ａを下側から天井３に向かって持ち上げ、筒状部材２２０の内部（内面２２０ａに囲まれた空間）に電源接続部２１０を通す。このとき、筒状部材２２０の内面２２０ａがツメ２１２に筒状部材２２０の中心方向に向かう力を与えるので、ツメ２１２は、電源接続部本体２１１内に引っ込む。これによって、電源接続部２１０は、筒状部材２２０内部にスムーズに進入する。
【００３９】
ツメ２１２は付勢されているので、電源接続部２１０が、内面２２０ａに形成された凹部２２４に対応する位置まで到達すると、凹部２２４内部に電源接続部２１０のツメ２１２が入り込む。これによって、ツメ２１２が凹部２２４に引っ掛かるので、部材Ａは、下方に脱落を防止した形で電源接続部２１０に取り付けられる（このとき、回転抑制部材４０１が天井３とスピーカー装置３００とに挟まれる。）。そして、配線２３１及び配線２３２それぞれを、スピーカー装置３００及び制御部１３３に接続する。そして、カバー１２０を照明天板１１０に取り付ける。これによって、照明ユニット１は、天井３の電源部３ａに取り付けられる。
【００４０】
なお、照明装置１００とスピーカー装置３００とは、信号線２３５によって接続される（図２において、スピーカー装置３００の信号線２３５との接続部位は省略した。）。具体的には、照明装置１００の制御部１３３とスピーカー装置３００の制御部３５１とが、貫通孔１１０ｂを通る信号線２３５で接続され、信号線２３５を介して両者間で制御信号などがやり取りされる（一方通行であってもよい。）。これによって、照明装置１００とスピーカー装置３００とが情報をやり取りしたり、連携して動作したりすることもできる。
【００４１】
例えば、制御部３５１は、現在のスピーカー３５０の音量に応じた発光量を指定する制御信号を、信号線２３５を介して制御部１３３に供給する。制御部３５１は、例えば、音量と発光量（例えば、電力供給量などで規定されてもよい。）とを対応付けた対応表を記憶しておき、この対応表を参照し、現在のスピーカー３５０の音量に対応する発光量を取得し、取得した発光量を指定する制御信号を制御部１３３に供給する。制御部１３３は、供給された制御信号が指定する発光量に基づいて発光部１３２に供給する電力量などを調整することによって調光する。これによって、照明装置１００とスピーカー装置３００とは連携した動作を行うことができる。
【００４２】
反対に、例えば、制御部１３３は、発光量に応じた音量を指定する制御信号を、信号線２３５を介して制御部３５１に供給する。制御部１３３は、例えば、発光量（例えば、電力供給量などで規定されてもよい。）と音量とを対応付けた対応表を記憶しておき、この対応表を参照し、現在の発光量に対応する音量を取得し、取得した音量を指定する制御信号を制御部３５１に供給する。制御部３５１は、供給された制御信号が指定する音量になるような調整を行う。これによって、照明装置１００とスピーカー装置３００とは連携した動作を行うことができる。
【００４３】
この実施の形態では、上記構成によって、照明装置１００は、照明装置１００から上方に延在する吊り下げ部２００によって吊り下げられ、スピーカー装置３００が吊り下げ部２００を囲み吊り下げ部２００に取りつけられることで、天井３と照明装置１００との間に位置するので、別体であるスピーカー装置３００と照明装置１００とを天井に配置することができるにも関わらず、電源部３ａからの照明装置１００の吊り下げについてスピーカー装置３００が介在しないので、電源部３ａと吊り下げ部２００との接続部及び吊り下げ部２００と照明装置１００との接続部に余計な負荷が掛かり難く又は掛からず、照明装置１００を安定的に天井の電源部３ａから吊り下げることができる。
【００４４】
例えば、スピーカー装置３００は、音声出力時のスピーカー３５０の放音面（振動板など）の振動によって、振動することがあるが、上記構造では、照明装置１００を電源部３ａから吊り下げる際に、スピーカー装置３００は介在しないので、上記各接続部に、この振動による余計な負荷が掛かり難く又は掛からず、照明装置１００を安定的に天井の電源部３ａから吊り下げることができる。
【００４５】
また、上記実施の形態では、吊り下げ部２００は、照明装置１００の中央から上方に延在し、照明装置１００を照明装置１００の中央で吊り下げるので、照明装置１００をバランス良く吊り下げることができる。さらに、スピーカー装置３００は、照明装置１００の中央から上方に延在する吊り下げ部２００を囲む形状を有するため、スピーカー装置３００は、吊り下げ部２００にバランス良く取りつけられ、上記各接続部にスピーカー装置３００の偏りによる余計な負荷が掛かり難く又は掛からず、照明装置１００を安定的に天井の電源部３ａから吊り下げることができる。また、スピーカー装置３００は、吊り下げ部２００を囲むことで、スピーカー装置３００は、吊り下げ部２００の少なくとも一部（上記実施の形態では、一部であるが、吊り下げ部２００の形状によっては全部。）をその内側（貫通孔３００ａ内部）に収容するので、照明ユニット１は上下方向（図１の紙面横方向）においてコンパクトになる。
【００４６】
また、この実施の形態では、吊り下げ部２００のスピーカー装置３００に接触する部分（つまり、接触部。本実施の形態では筒状部材２２０の外周面２２０ｂが該当する。）が樹脂部２５２によって構成されている。ここで、樹脂部２５２をＰＢＴなどで形成することによって、樹脂部２５２を音声出力によるスピーカー装置３００の振動（スピーカー装置３００の一部が振動する場合も含む。スピーカー装置３００の振動について同じ。）を吸収する部材とするとよい。このように、吊り下げ部２００の接触する部分を、スピーカー装置３００の音声出力によるスピーカー装置３００の振動を吸収する部材によって構成することによって、スピーカー装置３００の振動が吊り下げ部２００に伝わり難くなる又は伝わらなくなるので、この振動による余計な負荷が、吊り下げ部２００、電源部３ａと吊り下げ部２００との接続部、及び、吊り下げ部２００と照明装置１００との接続部に掛かり難く又は掛からず、照明装置１００を安定的に天井の電源部３ａから吊り下げることができる。
【００４７】
また、この実施の形態では、振動吸収部材４０２によって、音声出力によるスピーカー装置３００の振動が吸収される。これによって、この振動が照明装置１００に伝わり難くなるか伝わらないため、この振動による余計な負荷が、吊り下げ部２００と照明装置１００との接続部などに掛かり難く又は掛からず、照明装置１００を安定的に天井３の電源部３ａから吊り下げることができる。
【００４８】
また、スピーカー装置３００は、例えば、音声出力による振動によって回転しようとする場合があるが、この実施の形態では、回転抑制部材４０１が設けられているため、スピーカー装置３００が回転し難くなっているか回転しないので、スピーカー装置３００の回転による他の部材への悪影響を及ぼし難くなるか及ぼさなくなり、照明装置１００を安定的に天井３の電源部３ａから吊り下げることができる。
【００４９】
従来は、スピーカー装置３００や照明装置１００へ何らかの理由によって回転させる力が加わると吊り下げ部２００も回転しようとする場合（スピーカー装置３００の振動による場合を含む。）があった。この場合、吊り下げ部２００と電源部３ａとの接続部に余計な負荷が掛かる可能性があった。また、吊り下げ部２００が電源部３ａに回転させて着脱される場合（例えば、電源部３ａが引掛シーリングなどである場合）において吊り下げ部２００が電源部３ａから外れる方向に回転したりする可能性もある。そして、吊り下げ部２００（照明装置１００）が脱落する可能性があった。この実施の形態では、スピーカー装置３００及び照明装置１００は、吊り下げ部２００に回転不能に取り付けられているため、スピーカー装置３００、照明装置１００、及び、吊り下げ部２００は一体的に回転するようになっている。さらに、回転抑制部材４０１を設けたことによってスピーカー装置３００が天井３に対して回転し難くなっているか回転しないので、照明装置１００、吊り下げ部２００、及び、スピーカー装置３００のいずれかに回転力が加わったとしても、照明装置１００、吊り下げ部２００、及び、スピーカー装置３００は、全体として、天井３に対して回転し難くなっている又は回転しないようになっている。これによって、吊り下げ部２００が天井３に対して回転し難くなっている又は回転しないようになっているので、上記不都合は解消される。
【００５０】
ここで、電源部３ａから電源接続部２３０を介して照明装置１００とスピーカー装置３００との両者に電力を供給する際、この実施の形態で示す構造の他、電源接続部２３０から配線にて照明装置１００にまず電力を供給し、照明装置１００から配線にてスピーカー装置３００へ電力を供給させる構造、又は、電源接続部２３０から配線にてスピーカー装置３００にまず電力を供給し、スピーカー装置３００から配線にて照明装置１００へ電力を供給させる構造も考えられる。しかし、これら構造にすると、照明装置１００とスピーカー装置３００とを接続する、電力用の配線と信号線２３５とを、近接して配置する（例えば、両者を纏めて貫通孔１１０ｂに通す）ことになる。これは、例えば、配線と信号線２３５との扱いを容易化するためなどの理由による。しかし、電力用の配線と信号線２３５とを、近接して配置すると、電力用の配線を流れる電流などによって発生するノイズが信号線２３５にのってしまい、不具合が生じる場合がある。
【００５１】
本実施の形態では、上記の構成によって、電源部３ａからの電力を照明装置１００に供給する配線２３１と、電源部３ａからの電力をスピーカー装置３００に供給する配線２３２と、が設けられている。このため、照明装置１００とスピーカー装置３００との間での電力供給が不要になり、電力用の配線（配線２３１及び配線２３２）と信号線２３５とを近接して設ける必要が無くなり、ノイズによる不具合を防止又は起こり難くすることができる。なお、このような不都合は、図１に例示するように、電力供給のための配線２３１及び配線２３２が吊り下げ部材２００内を通って、照明装置１００とスピーカー装置３００とのそれぞれに接続される一方、信号線２３５が吊り下げ部材２００内を通らないようにすることでも解消されている。
【００５２】
本発明は、上記実施の形態に限られるものではなく、上記実施の形態について様々な変形が可能である。以下にその例を示すが、下記変形例それぞれの少なくとも一部は、適宜組み合わせることができる。
【００５３】
（変形例１）
照明ユニット１の取り付け対象は、天井３の電源部３ａの他、他の部分であってもよい。なお、通常は、照明装置１００に電力を供給するため、照明ユニット１は、電源部３ａに取り付けられるように構成される。
【００５４】
（変形例２）
電源接続部２１０の電力供給方法は、上記に限られず、例えば、電源接続部２１０は電源３ａから供給される電力を変換せずにそのままスピーカー装置３００や照明装置１００に供給するものであってもよい。配線２３１、配線２３２、信号線２３５も、適宜な形状や構成を採用できる。
【００５５】
（変形例３）
照明装置１００の形状や構成は、上記に限られず適宜な形状や構成を採用できる。例えば、照明装置１００は、上記実施の形態では、下方から見た場合に、円形状であるが、四角形状などであってもよい。また、発光部１３２は、蛍光管、有機ＥＬ照明などであってもよい。
【００５６】
（変形例４）
吊り下げ部２００の形状や構成は、上記に限られず適宜な形状や構成を採用できる。吊り下げ部２００は、スピーカー装置３００が照明装置１００と天井３との間に位置できるように照明装置１００を天井３から離間した状態で吊り下げられればよい。例えば、吊り下げ部２００は、電源接続部２１０と、筒状部材２２０と、が一体となった構成であってもよい。また、吊り下げ部２００の少なくとも一部（例えば、円筒状部材２２０）は、照明装置１００（例えば、照明天板１１０）と一体に形成されたものであってもよい。吊り下げ部２００は、上記実施の形態のように、照明装置１００の上面から上方に延在する構成の他、照明装置１００の内部から、例えば、照明天板１００の貫通孔１１０ａを通って、上方に延在する構成であってもよい。
【００５７】
（変形例５）
スピーカー装置３００の形状や構成は、上記に限られず適宜な形状や構成を採用できる。スピーカー装置３００は、電池などの内部電源によって動作するものであってもよい。また、例えば、スピーカー装置３００は、音源データを記憶する記憶部などを有し、例えば、リモコンからの信号に応答して、記憶部に記憶された音源データを再生することよって、音声出力を行うものであってもよい。
【００５８】
（変形例６）
スピーカー装置３００は、吊り下げ部２００を囲む形状であればよく、略円筒形状に限られない。例えば、水平方向に切ったときの断面が、三角形状、四角形状などの多角形状の、所定の厚さを持つ筒状の形状であってもよい。このような場合であっても、吊り下げ部２００の筒状部材２２０の外周面２２０ｂとスピーカー装置３００の貫通孔３００ａの内壁面とは対応する形状として、互いに接触するような形状とするとよい。また、スピーカー装置３００は、例えば、吊り下げ部２００を囲む形状として、吊り下げ部２００を３６０度連続的に囲む形状の他、例えば、隙間を有して、吊り下げ部２００を一部囲むものであってもよい。この場合の隙間は、スピーカー装置３００が水平方向に移動したときに吊り下げ部２００が隙間から抜けない幅とするとよい。吊り下げ部２００は、天井３と照明装置１００との間に配置されれば、吊り下げ部２００を囲む形状でなくてもよい。
【００５９】
（変形例７）
貫通孔３００ａの内壁面と筒状部材２２０の外周面２２０ｂとの間に遊びを持たせてもよいが、照明ユニット１の取りつけ時などにおいて、スピーカー装置３００が吊り下げ部２００に対して、がたつかないように、吊り下げ部２００の筒状部材２２０の外周面２２０ｂとスピーカー装置３００の貫通孔３００ａの内壁面との少なくとも一部同士は接触するようにして、スピーカー装置３００が水平方向に移動することを防止させるとよい。
【００６０】
（変形例８）
吊り下げ部２００のスピーカー装置３００と接触する部分を、スピーカー装置３００の音声出力によるスピーカー装置３００の振動を吸収する部材によって構成する場合、この部材は、合成樹脂に限らず、振動を吸収できるものであれば適宜の材料によって形成されればよい。
【００６１】
（変形例９）
なお、スピーカー装置３００は、吊り下げ部２００に取りつけられるのではなく、照明装置１００に載置されてもよい。この場合、図７のように、貫通孔３００ａの内壁面と筒状部材２２０の外周面２２０ｂとが接触しないようにしてもよい。図７は、変形例に掛かる照明ユニットの要部断面図である（配線２３１や配線２３２、貫通孔２２３、貫通孔１１０ｂ、配線２３５などは省略した。）。ここで、図７では、図１と同様の形状及び働きをする部材については同じ符号が付されている。これらの部材についての説明は、上記実施の形態や変形例に準じる。
【００６２】
図７の構成では、スピーカー装置３００は、フランジ３０２を有さない形状になっているが、スピーカー装置３００の基本的な構成の説明は、上記実施の形態などに準じる。なお、図７においても、図１と同様に断面を表すハッチング及び内部構造を省略した部材がある。
【００６３】
図７の構成では、スピーカー装置３００は、振動吸収部材４０２を介して、照明装置１００に載置されている。これによって、スピーカー装置３００の振動が照明装置１００に伝わり難くすることができる。なお、スピーカー装置３００は、水平方向に動かないように、照明装置１００に振動吸収部材４０２を介して固定されてもよい。例えば、振動吸収部材４０２を照明天板１１０に両面テープなどで固定し、さらに、振動吸収部材４０２とスピーカー装置３００とを両面テープなどで固定することによって、スピーカー装置３００を回転不能かつ移動不能に照明装置１００に固定するとよい。これによって、スピーカー装置３００の振動が照明装置１００に伝わり難くするとともに、スピーカー装置３００が不用意に動くことが防止される。また、スピーカー装置３００は照明装置１００に対して回転出来ず、さらに、吊り下げ部２００も照明装置１００に対して回転不能になっているので、回転抑制部材４０１によって、上記実施の形態と同様に、照明装置１００、吊り下げ部２００、及び、スピーカー装置３００は、全体として、天井３に対して回転し難くなっている又は回転しないようにすることができる。
【００６４】
さらに、図７に示すように、貫通孔３００ａの内壁面と筒状部材２２０の外周面２２０ｂとが接触しないようにすることで、スピーカー装置３００の音声出力による振動は、貫通孔３００ａの内壁面と筒状部材２２０の外周面２２０ｂとの間の空間で吸収され、吊り下げ部２００に伝わることを防止できる。
【００６５】
なお、貫通孔３００ａの内壁面と筒状部材２２０の外周面２２０ｂとの間に、合成樹脂などの適宜の材料によって形成されて、振動を吸収する振動吸収部材４０４（形状は、円筒形状など、適宜の形状でよい。）を介在させてもよい（例えば、図８参照）。ここで、図８（配線２３１や配線２３２、貫通孔２２３、貫通孔１１０ｂ、配線２３５などは省略した要部断面図）では、図１と同様の形状及び働きをする部材については同じ符号が付されている。これらの部材についての説明は、上記実施の形態や変形例に準じる。図８においても、図１と同様に断面を表すハッチング及び内部構造を省略した部材がある。
【００６６】
図７や図８に例示するように、吊り下げ部２００とスピーカー装置３００との間に、音声出力によるスピーカー装置３００の振動を吸収する振動吸収部（上記空間や、振動吸収部材４０４など）を介在させることによって、スピーカー装置３００の振動による余計な負荷が、吊り下げ部２００、電源部３ａと吊り下げ部２００との接続部、及び、吊り下げ部２００と照明装置１００との接続部に掛かり難く又は掛からず、照明装置１００を安定的に天井の電源部３ａから吊り下げることができる。
【００６７】
（変形例１０）
また、上記実施の形態では、凸部３０１と凹部２２２とが嵌まり合うことで、スピーカー装置３００は、吊り下げ部２００から下方に脱落しないようになっているが、スピーカー装置３００を吊り下げ部２００に取りつける構造は、どのような構造であってもよい。スピーカー装置３００が、吊り下げ部２００から下方に脱落しないように取りつけられる場合には、振動吸収部材４０２を設けないようにし、スピーカー装置３００と照明装置１００との間を空けて、空間を設けてもよい（例えば、図９参照）。図９では、図１と同様の形状及び働きをする部材については同じ符号が付されている。これらの部材についての説明は、上記実施の形態や変形例に準じる。また、図９においても、図１と同様に断面を表すハッチング及び内部構造を省略した部材がある。このような空間によってもスピーカー装置３００の音声出力による振動は、照明装置１００に伝わり難くなるか、伝わらないため、振動吸収部材４０２を設けたときと同様の効果を得ることができる。
【００６８】
このように、照明ユニット１は、照明装置１００の上面とスピーカー装置３００の下面との間に、音声出力によるスピーカー装置３００の振動を吸収する振動吸収部（振動吸収部材４０２や上記空間など）を備えると、スピーカー装置３００の音声出力による振動は、照明装置１００に伝わり難くなるか、伝わらないため、この振動による余計な負荷が、吊り下げ部２００と照明装置１００との接続部などに掛かり難く又は掛からず、照明装置１００を安定的に天井３の電源部３ａから吊り下げることができる。
【００６９】
（変形例１１）
吊り下げ部２００の構造は、上記実施の形態や変形例に限らず、例えば、図１０から図１２に示すような構造であってもよい。ここで、図１０から図１２では、図１などと同様の形状及び働きをする部材については同じ符号が付されている。これらの部材についての説明は、上記実施の形態や変形例に準じる。図１０（配線２３１や配線２３２、貫通孔２２３、貫通孔１１０ｂ、配線２３５などは省略した要部断面図）においても、図１と同様に断面を表すハッチング及び内部構造を省略した部材がある。
【００７０】
この変形例では、主に筒状部材２２０の形状及びスピーカー装置３００の形状が異なる。以下では、これら部材を中心に説明を行う。
【００７１】
筒状部材２２０は、ＰＢＴなどの合成樹脂製の樹脂部２６１と、金属製の金属部２６２と、ＰＢＴなどの合成樹脂製の樹脂部２６３と、を含む。樹脂部２６３は、その外周面（外周面２２０ａ）が、スピーカー装置３００の貫通孔３００ａの内壁面と接するため、樹脂部２６３がスピーカー装置３００の振動を吸収できるように、樹脂部２６３は、振動を吸収できる合成樹脂で形成するとよい。また、樹脂部２６３は、合成樹脂の他、振動を吸収できる他の部材によって構成されてもよい。金属部２６２によって、筒状部材２２０が補強されている。
【００７２】
樹脂部２６１と金属部２６２とは、それぞれが、下部からフランジが張り出した略円筒形状である。樹脂部２６１のフランジと金属部２６２のフランジとによって、筒状部材２２０のフランジ２２１が構成されており、そこにネジ２２９が通る貫通孔２２５が形成されている。樹脂部２６１の内周面と金属部２６２の外周面とは、略同様の直径となっている。そして、金属部２６２が樹脂部２６１に上方から被さるようにして、両者は組み合わさっている。
【００７３】
また、樹脂部２６１と金属部２６２とには、互いに連通する貫通孔が形成されており、この連通する貫通孔によって、貫通孔２６９が形成されている。また、樹脂部２６１には、電源接続部２１０のツメ２１２が入り込む凹部２２４が形成されている。なお、凹部２２４は、金属部２６２にまで入り込むようにしてもよい。ツメ２１２が金属部２６２にまで引っ掛かるように凹部２２４内部に進入することによって、電源接続部２１０が筒状部材２２０などを引っ掛ける強度が増す。
【００７４】
樹脂部２６３は、上部からフランジ２６３ａが張り出した略円筒形状である。フランジ２６３ａは、上方から見た外形（天井３から見た外形）が、一部を切り取って直線とした円形状になっている。また、樹脂部２６３の円筒部分には、スリット２６３ｃが形成させている。このスリット２６３ｃに挟まれた帯形状の帯状部２６３ｄは、スリット２６３ｃの上端部付近を支点として、弾性変形可能（例えば、図１０の紙面横方向に変位可能）となっている。また、この帯状部２６３ｄの内壁面の下端部には、内側に突出したツメ２６３ｂが形成されている。
【００７５】
樹脂部２６３の内周面とは金属部２６２の外周面とは、略同様の直径となっている。そして、樹脂部２６３が金属部２６２にスピーカー装置３００を介して上方から被さるようにして、両者は組み合わさる。このとき、ツメ２６３ｂは、貫通孔２６９に入り込んで引っ掛かる。貫通孔２６９は、略直方体の内部空間を形成するように構成されており、ツメ２６３ｂ（つまり、樹脂部２６３）が筒状部材２２０の内面２２０ａの軸回りで金属部２６２などに対して回転しないようになっている。
【００７６】
樹脂部２６１と金属部２６２とは、ネジ２２９によって重ねて照明天板１１０に固定されているので、両者は互いに固定されなくてもよいが、両者を、接着することなどによって、互いに固定してもよい。また、金属部２６２をインサートするインサート成型などによって、樹脂部２６１と金属部２６２とを一体成型することによって、両者を固定してもよい。
【００７７】
この変形例では、樹脂部２６１と金属部２６２とは、ネジ２２９によって重ねて照明天板１１０に固定され、樹脂部２６３は、ツメ２６３ｂによって筒状部材２２０の内面２２０ａの軸回りで金属部２６２などに対して回転しないようになっているので、筒状部材２２０（吊り下げ部２００）は、全体として照明装置１００に対して回転しないようになっている。
【００７８】
スピーカー装置３００の上面には、凹部３３１が形成されている。凹部３３１は、フランジ２６３ａに対応した形状になっており、凹部３３１内部にフランジ２６３ａが入り込んで嵌る形状になっている。凹部３３１とフランジ２６３ａとは、上方から見た外形（天井３から見た外形）が、一部を切り取って直線とした円形状になっているので、スピーカー装置３００が筒状部材２２０（吊り下げ部２００）に対して回転しようとすると、上記直線の部分が邪魔するので、スピーカー装置３００は、筒状部材２２０（吊り下げ部２００）に対して回転しないようになっている。
【００７９】
以上から、照明装置１００、吊り下げ部２００、スピーカー装置３００は、それぞれが、他の部材に対して回転しないようになっており、回転するとしたら、上記実施の形態と同様に、照明装置１００、吊り下げ部２００、スピーカー装置３００が一体となって回転するようになっている。
【００８０】
また、スピーカー装置３００の貫通孔３００ａ内壁面は、貫通孔２６９の開口部に対向して上下方向に延びる凹部３００ａａを有する。スピーカー装置３００の貫通孔３００ａ内壁面は、凹部３００ａａ以外の部分で、樹脂部２６３の外周面（筒状部材２２０の外周面２２０ｂ）と接触するようになっている。
【００８１】
例えば、電源部３ａに電源接続部２１０を取り付ける一方、発光部１３２、制御部１３３、振動吸収部材４０２が取り付けられた照明天板１１０に樹脂部２６１と金属部２６２とを取り付ける。一方で、回転抑制部材４０１を設けたスピーカー装置３００であって、樹脂部２６３を取りつけた状態（凹部３３１内部にフランジ２６３ａを嵌めた状態）のスピーカー装置３００を樹脂部２６１と金属部２６２とを取りつけた照明天板１１０に上方から取りつける。このとき、金属部２６２が樹脂部２６３の内側に入り込むように（金属部２６２の外周面に樹脂部２６３の内周面が接触するように）取りつけを行う。
【００８２】
このとき、ツメ２６３ｂは、金属部２６２の外周面によって外側に変位させられ、帯状部２６３ｄは、スリット２６３ｃの上端部付近を支点として、弾性変形するが、凹部３００ａａに弾性変形した部分が入り込むので、帯状部２６３ｄは、スムーズに弾性変形し、ツメ２６３は、スムーズに貫通孔２６９に到達して貫通孔２６９内に入り込み引っ掛かることができる。ツメ２６３が貫通孔２６９に引っ掛かることにより、振動吸収部材４０２がスピーカー装置３００と照明装置１００との間で挟まれ、スピーカー装置３００は、フランジ２６３ａと振動吸収部材４０２を介した照明装置１０とで挟持される。このようにして、照明装置１００の一部（照明天板１１０など）、吊り下げ部２００の一部（筒状部材など）、スピーカー装置３００などが組み合わされた部材Ｂが構成される。
【００８３】
そして、部材Ｂを下側から天井３に向かって持ち上げ、筒状部材２２０の内部（内面２２０ａに囲まれた空間）に電源接続部２１０を通す。この変形例にかかる照明ユニットの以降の取りつけ工程は、上記実施の形態と同様である。なお、変形例にかかる照明ユニットでも、回転抑制部材４０１は、スピーカー装置３００と天井３との間に挟み込まれる。
【００８４】
このような変形例においても、上記実施の形態と同様の効果を適宜得られる。例えば、別体であるスピーカー装置３００と照明装置１００とを天井に配置することができるにも関わらず、照明装置１００の電源部３ａからの吊り下げについてスピーカー装置３００が介在しないので、電源部３ａと吊り下げ部２００との接続部及び吊り下げ部２００と照明装置１００との接続部に余計な負荷が掛かり難く又は掛からず、照明装置１００を安定的に天井の電源部３ａから吊り下げることができる。また、例えば、吊り下げ部２００の接触する部分（樹脂部２６３）を、スピーカー装置３００の音声出力によるスピーカー装置３００の振動を吸収する部材によって構成することによって、スピーカー装置３００の振動が吊り下げ部２００に伝わり難くなる又は伝わらなくなるので、この振動による余計な負荷が、吊り下げ部２００、電源部３ａと吊り下げ部２００との接続部、及び、吊り下げ部２００と照明装置１００との接続部に掛かり難く又は掛からず、照明装置１００を安定的に天井の電源部３ａから吊り下げることができる。また、この変形例では、スピーカー装置３００、照明装置１００、及び、吊り下げ部２００は一体的に回転するようになっているが、回転抑制部材４０１を設けたことによってスピーカー装置３００が天井３に対して回転し難くなっているか回転しないので、照明装置１００、吊り下げ部２００、及び、スピーカー装置３００のいずれかに回転力が加わったとしても、照明装置１００、吊り下げ部２００、及び、スピーカー装置３００は、全体として、天井３に対して回転し難くなっている又は回転しないようになっている。これによって、吊り下げ部２００が天井３に対して回転し難くなっている又は回転しないようになっているので、上記実施の形態で説明した上記不都合も解消される。
【００８５】
上記の実施形態の一部又は全部は、以下の付記のようにも記載されうるが、以下に限られない。
【００８６】
（付記１）
照明装置と、
前記照明装置から上方に向かって延在し、前記照明装置を天井から離間した状態で前記天井の所定部位から吊り下げる吊り下げ部と、
前記照明装置を前記所定部位から吊り下げた場合に前記照明装置と前記天井との間に配置され、音声出力するスピーカー装置と、
を備えることを特徴とする照明ユニット。
【００８７】
（付記２）
前記吊り下げ部は、前記スピーカー装置と接触する接触部を有し、
前記接触部は、前記音声出力による前記スピーカー装置の振動を吸収する部材によって構成されている、
ことを特徴とする付記１に記載の照明ユニット。
【００８８】
（付記３）
前記吊り下げ部と前記スピーカー装置との間に、前記音声出力による前記スピーカー装置の振動を吸収する第１の振動吸収部を介在させた、
ことを特徴とする付記１に記載の照明ユニット。
【００８９】
（付記４）
前記照明装置の上面と前記スピーカー装置の下面との間に、前記音声出力による前記スピーカー装置の振動を吸収する第２の振動吸収部をさらに備える、
ことを特徴とする付記１乃至３のいずれか１項に記載の照明ユニット。
【００９０】
（付記５）
前記照明装置を前記所定部位から吊り下げた場合に前記スピーカー装置の上面と前記天井との間に挟み込まれ、前記スピーカー装置が前記天井に対して回転を抑制する回転抑制部をさらに備える、
ことを特徴とする付記１乃至４のいずれか１項に記載の照明ユニット。
【００９１】
（付記６）
前記所定部位は、電力を供給する電源部であり、
前記吊り下げ部は、前記電源部に取り付けられて前記電源部と接続される電源接続部を有し、
前記電源接続部と前記照明装置とに接続され、前記電源部からの電力を前記照明装置に供給する第１の配線と、前記電源接続部と前記スピーカー装置とに接続され、前記電源部からの電力を前記スピーカー装置に供給する第２の配線と、を設けた、
ことを特徴とする付記１乃至５のいずれか１項に記載の照明ユニット。
【００９２】
（付記７）
前記スピーカー装置は、前記吊り下げ部を囲んで配置されている、
ことを特徴とする付記１乃至６のいずれか１項に記載の照明ユニット。
【符号の説明】
【００９３】
１  照明ユニット
１００  照明装置
１１０  照明天板
１２０  カバー
１３２  発光部
１３３  制御部
２００  吊り下げ部
２１０  電源接続部
２１１  電源接続部本体
２１２  ツメ
２２０  筒状部材
２５１  金属部
２５２  樹脂部
２６１  樹脂部
２６２  金属部
２６３  樹脂部
３００  スピーカー装置
３５０  スピーカー
４０１  回転抑制部材
４０２  振動吸収部材
【図１】
0005950332.tif 000002
【図２】
0005950332.tif 000003
【図３】
0005950332.tif 000004
【図４】
0005950332.tif 000005
【図５】
0005950332.tif 000006
【図６】
0005950332.tif 000007
【図７】
0005950332.tif 000008
【図８】
0005950332.tif 000009
【図９】
0005950332.tif 000010
【図１０】
0005950332.tif 000011
【図１１】
0005950332.tif 000012
【図１２】
0005950332.tif 000013